(57)【特許請求の範囲】
【請求項１】
環状のゴムリングと、
前記ゴムリングが装着されるハウジングとを備えた防水コネクタであって、
前記ゴムリングは、前後方向に開口し環状の本体部と、前記本体部の後縁から後方に突出して設けられた角形リブと、前記本体部の前縁から前方に突出して設けられ一対の係合面を有する回り止めリブとを備えて構成されている一方、
前記ハウジングには、機器のケースに設けられた取付孔に嵌合可能な嵌合部と、前記嵌合部に外嵌するフード部と、前記回り止めリブが収容される収容溝と、前記角形リブが収容される係止溝とが設けられており、
前記収容溝は、底面と、前記底面の両側に配されて前記回り止めリブの前記係合面と係合することで前記回り止めリブを前記底面に押し込む一対の被係合面とによって構成されており、
前記底面は前記嵌合部に設けられている一方、前記一対の被係合面は前記フード部に設けられている防水コネクタ。
【請求項２】
環状のゴムリングと、
前記ゴムリングが装着されるハウジングとを備えた防水コネクタであって、
前記ゴムリングの側縁には、一対の係合面を有する回り止めリブが設けられている一方、
前記ハウジングには、前記回り止めリブが収容される収容溝が設けられており、
前記収容溝は、底面と、前記底面の両側に配されて前記回り止めリブの前記係合面と係合することで前記回り止めリブを前記底面に押し込む一対の被係合面とによって構成されており、
前記ハウジングは、機器のケースに設けられた取付孔に嵌合可能な嵌合部と、前記嵌合部に装着される端子収容部と、前記端子収容部を前記嵌合部に保持するフロントリテーナとを備えて構成され、
前記底面は前記嵌合部に設けられている一方、前記一対の被係合面は前記フロントリテーナに設けられている防水コネクタ。
【請求項３】
前記フロントリテーナは、前記嵌合部に外嵌するフード部を有し、前記底面は前記嵌合部の外周面の一部である一方、前記一対の被係合面は前記フード部の内周面と外周面とを連結し、かつ、前記フード部の周方向に対向する一対の対向面である請求項２に記載の防水コネクタ。
【発明の詳細な説明】
【技術分野】
【０００１】
本明細書によって開示される技術は、防水コネクタに関する。
【背景技術】
【０００２】
従来、機器のケースに設けられた取付孔に嵌合可能な機器用コネクタとして、特開２０１４−１０７１５２号公報（下記特許文献１）に記載のものが知られている。この機器用コネクタは、合成樹脂製のハウジングを有し、このハウジングは、機器の取付孔に嵌合可能な嵌合部と、電線が引き出された装着部とを有している。嵌合部の内部には、端子収容部が前方から収容されており、この端子収容部は、ホルダによって前方への抜けが抑制されている。嵌合部の外周面にはゴムリングが装着されている。
【先行技術文献】
【特許文献】
【０００３】
【特許文献１】特開２０１４−１０７１５２号公報
【発明の概要】
【発明が解決しようとする課題】
【０００４】
しかしながら、上記の機器用コネクタでは、ゴムリングの回り止めが考慮されていないため、ゴムリングが正規の位置で嵌合部の外周面に装着されたか否かがわからない。
【０００５】
そこで、図６に示すような防水コネクタ１によってゴムリング２の回り止めを行うことが考えられる。この防水コネクタ１は、合成樹脂製のハウジング３を有し、このハウジング３は、嵌合部４と、嵌合部４に装着される端子収容部５と、端子収容部５を嵌合部４に保持するフロントリテーナ６とを備えて構成されている。ゴムリング２の側縁には一対の回り止めリブ２Ａが突出して設けられている。回り止めリブ２Ａは、ハウジング３に設けられた係止溝３Ａに嵌まり込むことで、嵌合部４の外周面に装着されたゴムリング２の回り止めを行うものとされている。
【０００６】
ところが、リブ２Ａは略方形の断面形状であり、このリブ２Ａの形状に沿った係止溝３Ａは底面と底面から直角に立ち上がる一対の側面とからなる角形の溝であるため、リブ２Ａが係止溝３Ａの底面から浮き上がるおそれがあり、リブ２Ａが係止溝３Ａから外れてしまうと、ゴムリング２の回り止め機能が失われることになる。
【課題を解決するための手段】
【０００７】
本明細書によって開示される防水コネクタは、環状のゴムリングと、前記ゴムリングが装着されるハウジングとを備えた防水コネクタであって、前記ゴムリングの側縁には、一対の係合面を有する回り止めリブが設けられている一方、前記ハウジングには、前記回り止めリブが収容される収容溝が設けられており、前記収容溝は、底面と、前記底面の両側に配されて前記回り止めリブの前記係合面と係合することで前記回り止めリブを前記底面に押し込む一対の被係合面とによって構成されている。
【０００８】
このようにすると、ゴムリングに回転方向の力がかかると、回り止めリブの係合面が収容溝の被係合面に係止することによりゴムリングが底面に押し込まれるため、回り止めリブが収容溝の底面から浮き上がることはなく、引き続きゴムリングの回り止め機能を果たすことができる。
【０００９】
本明細書によって開示される防水コネクタは、以下の構成としてもよい。
前記ハウジングは、機器のケースに設けられた取付孔に嵌合可能な嵌合部と、前記嵌合部に装着される端子収容部と、前記端子収容部を前記嵌合部に保持するフロントリテーナとを備えて構成され、前記底面は前記嵌合部に設けられている一方、前記一対の被係合面は前記フロントリテーナに設けられている構成としてもよい。
このような構成によると、底面と一対の被係合面とをそれぞれ既存の構成部品に設けたから、従来と同じ作業工数で収容溝を構成することができる。
【００１０】
前記フロントリテーナは、前記嵌合部に外嵌するフード部を有し、前記底面は前記嵌合部の外周面の一部である一方、前記一対の被係合面は前記フード部の内周面と外周面とを連結し、かつ、前記フード部の周方向に対向する一対の対向面である構成としてもよい。
このような構成によると、一対の被係合面については例えばフード部の一部を切り欠くことによって一対の対向面を形成したものであり、底面については嵌合部の外周面をそのまま利用したものであるから、大幅な設計変更を伴うことなく収容溝を構成することができる。
【発明の効果】
【００１１】
本明細書によって開示される防水コネクタによれば、回り止めリブが収容溝の底面から浮き上がりにくくできる。
【図面の簡単な説明】
【００１２】
【図１】実施形態における防水コネクタの構成部品を示した分解斜視図
【図２】防水コネクタの正面図
【図３】防水コネクタの平面図
【図４】防水コネクタの側面図
【図５】図４におけるＡ−Ａ線断面図
【図６】本願発明に関連する技術として開示した防水コネクタの構成部品を示した分解斜視図
【発明を実施するための形態】
【００１３】
＜実施形態＞
実施形態を図１から図５の図面を参照しながら説明する。本実施形態の防水コネクタ１０は、図１に示すように、合成樹脂製のハウジング２０、ゴムリング３０、フロントリテーナ４０などを備えて構成されている。また、図示はしないものの、防水コネクタ１０が接続される機器のケースには、取付孔が貫通して形成されており、この取付孔に防水コネクタ１０が嵌合可能とされている。
【００１４】
ハウジング２０は、機器の取付孔に嵌合可能な嵌合部２１と、電線Ｗが引き出された引出部２２と、嵌合部２１に装着される端子収容部２３とを有している。この端子収容部２３は、フロントリテーナ４０によって前方への抜けが抑制されている。図５に示すように、端子収容部２３の内部には、端子５０が収容されている。
【００１５】
図１に示すように、ゴムリング３０は、嵌合部２１の外周面に装着されるようになっている。また、嵌合部２１の後方には、嵌合部２１の外周面に装着されたゴムリング３０が突き当たることでゴムリング３０の前後方向の装着位置を決定する突当部２４が設けられている。突当部２４には、一対の係止溝２５が上方および前方に開口して設けられている。
【００１６】
一方、ゴムリング３０は、複数条の外周リップ３２が周設された環状の本体部３１と、本体部３１の後縁から後方に突出して設けられた一対の角形リブ３３と、本体部３１の前縁から前方に突出して設けられた一対の台形リブ３４とを備えて構成されている。角形リブ３３は略方形の断面形状をなして前後方向に延びる柱状をなし、台形リブ３４は略台形の断面形状をなして前後方向に延びる柱状をなしている。また、一対の角形リブ３３は本体部３１の上部において周方向に並んで配され、一対の台形リブ３４は本体部３１の両側部に１つずつ配されている。
【００１７】
図３に示すように、一対の角形リブ３３は、突当部２４の一対の係止溝２５に適合して収容される。これにより、ゴムリング３０の周方向の装着位置が決定される。また、フロントリテーナ４０は、嵌合部２１の外周面に外嵌されるフード部４１を有しており、このフード部４１の後縁によってゴムリング３０の前方への抜けが抑制されている。突当部２４の外周面とフード部４１の外周面とは、ほぼ同じ高さとされており、外周リップ３２よりも低く設定されている。
【００１８】
さて、ハウジング２０におけるフード部４１の両側には、図４に示すように、ゴムリング３０の一対の台形リブ３４が適合して収容される一対の収容溝２６が設けられている。この収容溝２６は、図５に示すように、嵌合部２１の外周面の一部である底面２１Ａと、フード部４１の一部を切り欠くことで形成された上下一対の対向面４２とによって構成されている。一対の対向面４２は、フード部４１の内周面と外周面とを連結し、かつ、上下方向に対向している。また、対向面４２は、図１に示すように、フード部４１の後端開口縁に至る範囲で設けられている。このため、一対の対向面４２に挟まれた収容空間は、後方に開口する形態をなしている。
【００１９】
図５に示すように、上側の対向面４２は、フード部４１の内周面から外周面に向けて斜め下方に延びる形態をなし、下側の対向面４２は、フード部４１の内周面から外周面に向けて斜め上方に延びる形態をなしている。一方、台形リブ３４は、上下一対の対向面４２に近接して配される上下一対の傾斜面３５を有している。傾斜面３５とこれに対面する対向面４２とは、わずかな隙間を介して当接可能な位置に設けられている。
【００２０】
このため、図５の図示右側の台形リブ３４が下方に移動しようとすると、下側の傾斜面３５が下側の対向面４２に係合することで本体部３１が嵌合部２１の底面２１Ａに押し込まれる。このとき、上側の傾斜面３５も上側の対向面４２によって嵌合部２１の底面２１Ａから離れることができないため、台形リブ３４が収容溝２６から外れることが抑制される。したがって、各台形リブ３４によるゴムリング３０の回り止めが継続される結果、各角形リブ３３においてもゴムリング３０の回り止めが継続されることになる。このように本実施形態では、実質的に４つのリブ３３、３４でゴムリング３０の回り止めを行うことになるから、当然のことながら、図６に示す２つの回り止めリブ２Ａでゴムリング２の回り止めを行うよりも、回り止め力が格段に高くなる。
【００２１】
以上のように本実施形態では、ゴムリング３０に回転方向の力がかかると、回り止めリブ（台形リブ３４）の係合面（傾斜面３５）が収容溝２６の被係合面（対向面４２）に係止することによりゴムリング３０が底面２１Ａに押し込まれるため、回り止めリブが収容溝２６の底面２１Ａから浮き上がることはなく、引き続きゴムリング３０の回り止め機能を果たすことができる。
【００２２】
ハウジング２０は、機器のケースに設けられた取付孔に嵌合可能な嵌合部２１と、嵌合部２１に装着される端子収容部２３と、端子収容部２３を嵌合部２１に保持するフロントリテーナ４０とを備えて構成され、底面２１Ａは嵌合部２１に設けられている一方、一対の被係合面（対向面４２）はフロントリテーナ４０に設けられている構成としてもよい。
【００２３】
このような構成によると、底面２１Ａと一対の被係合面（対向面４２）とをそれぞれ既存の構成部品に設けたから、従来と同じ作業工数で収容溝２６を構成することができる。
【００２４】
フロントリテーナ４０は、嵌合部２１に外嵌するフード部４１を有し、底面２１Ａは嵌合部２１の外周面の一部である一方、一対の被係合面はフード部４１の内周面と外周面とを連結し、かつ、フード部４１の周方向に対向する一対の対向面４２である構成としてもよい。
【００２５】
このような構成によると、一対の被係合面については例えばフード部４１の一部を切り欠くことによって一対の対向面４２を形成したものであり、底面２１Ａについては嵌合部２１の外周面をそのまま利用したものであるから、大幅な設計変更を伴うことなく収容溝２６を構成することができる。
【００２６】
＜他の実施形態＞
本明細書によって開示される技術は上記記述及び図面によって説明した実施形態に限定されるものではなく、例えば次のような種々の態様も含まれる。
（１）上記実施形態ではフロントリテーナ４０を備えた防水コネクタ１０を例示しているものの、フロントリテーナ４０を備えていない防水コネクタにも適用することができる。
【００２７】
（２）上記実施形態では収容溝２６がハウジング２０とフロントリテーナ４０によって構成されているものの、収容溝がハウジングのみによって構成されているものとしてもよいし、収容溝がフロントリテーナのみによって構成されているものとしてもよい。
【００２８】
（３）上記実施形態では回り止めリブとして台形リブ３４を例示しているものの、回り止めリブの形状は問わないし、収容溝の形状についても問わない。
【符号の説明】
【００２９】
１０…防水コネクタ
２０…ハウジング
２１…嵌合部
２１Ａ…底面
２３…端子収容部
２６…収容溝
３０…ゴムリング
３４…台形リブ（回り止めリブ）
３５…傾斜面
４０…フロントリテーナ
４１…フード部
４２…対向面（被係合面）
【図１】
0006545529.tif 000002
【図２】
0006545529.tif 000003
【図３】
0006545529.tif 000004
【図４】
0006545529.tif 000005
【図５】
0006545529.tif 000006
【図６】
0006545529.tif 000007